(57)【要約】【課題】  仮在学証明書の発行を以って、後に行う正式在学証明書の印刷を容易にする情報処理装置、その制御方法及びプログラム、並びに情報処理システムを提供すること。【解決手段】  仮在学証明書の発行を以って、正式な在学証明書の印刷ジョブを生成し、認証情報とともに記憶する。後日画像処理装置へのログインを受け付けた際に、ログイン時に取得した認証情報に対応した印刷ジョブを画像処理装置に送信し、該印刷ジョブを優先的に画像処理装置の表示部に表示することで、正式在学証明書の印刷を容易に行わせることを可能とする。【選択図】図４
2012137873.tif 000002
【特許請求の範囲】
【請求項１】
クライアント装置、または画像処理装置からのログインを受け付け、ログインに用いた認証情報に基づいてデータの発行、記憶を行う情報処理装置であって、
前記クライアント装置からの文書データの発行要求を受け付ける発行要求受付手段と、
前記発行要求受付手段で受け付けた発行要求に従って、第１の文書データを生成し発行する発行手段と、
前記発行手段で発行した第１の文書データを発行する場合に、前記第１の文書データに対応した第２の文書データを生成する生成手段と、
前記生成手段で生成した第２の文書データを、印刷データとして、前記クライアント装置より取得した認証情報と紐付けて記憶する記憶手段と、
前記画像処理装置から認証情報を取得してログインを受け付けた場合に、前記記憶手段で記憶した第２の文書データであって、前記画像処理装置より取得した認証情報と一致する認証情報と紐付いて記憶された第２の文書データを特定する特定手段と、
前記特定手段で特定した第２の文書データを、前記画像処理装置に送信する送信手段と
を備えることを特徴とする情報処理装置。
【請求項２】
前記発行手段で第１の文書データを発行するとともに、前記第２の文書データを生成するために用いる予約票を生成する第２の生成手段と、
前記第２の生成手段で生成した前記予約票のスキャンデータを受信するスキャンデータ受信手段とを更に備え、
前記生成手段は、前記第２の生成手段で前記予約票を生成した場合には、前記生成手段で前記第２の文書データの生成を行わず、前記スキャンデータ受信手段で前記予約票のスキャンデータを受信することによって、第２の文書データの生成を行うことを特徴とし、
前記送信手段は、前記第２の生成手段で予約票を生成した場合、前記予約票を前記画像処理装置に送信すること
を特徴とする請求項１に記載の情報処理装置。
【請求項３】
前記送信手段は、前記画像処理装置が表示画面を表示する画像表示部を有する場合、前記画像処理装置の表示画面に前記第２の文書データの印刷データの一覧を表示するための一覧データを送信することを特徴とする請求項１または２に記載の情報処理装置。
【請求項４】
前記送信手段は、前記画像処理装置が表示画面を表示する画像表示部を有さない場合、前記画像処理装置の表示画面に前記第２の文書データの印刷データの一覧を表示するための一覧データの送信を行わず、前記第２の文書データの印刷データを送信することを特徴とする請求項１乃至３のいずれか１項に記載の情報処理装置。
【請求項５】
クライアント装置、または画像処理装置からのログインを受け付け、ログインに用いた認証情報に基づいてデータの発行、記憶を行う情報処理装置の制御方法であって、
前記クライアント装置からの文書データの発行要求を受け付ける発行要求受付工程と、
前記発行要求受付工程で受け付けた発行要求に従って、第１の文書データを生成し発行する発行工程と、
前記発行工程で発行した第１の文書データを発行する場合に、前記第１の文書データに対応した第２の文書データを生成する生成工程と、
前記生成工程で生成した第２の文書データを、印刷データとして、前記クライアント装置より取得した認証情報と紐付けて記憶する記憶工程と、
前記画像処理装置から認証情報を取得してログインを受け付けた場合に、前記記憶工程で記憶した第２の文書データであって、前記画像処理装置より取得した認証情報と一致する認証情報と紐付いて記憶された第２の文書データを特定する特定工程と、
前記特定工程で特定した第２の文書データを、前記画像処理装置に送信する送信工程と
を備えることを特徴とする情報処理装置。
【請求項６】
クライアント装置、または画像処理装置からのログインを受け付け、ログインに用いた認証情報に基づいてデータの発行、記憶を行う情報処理装置を、
前記クライアント装置からの文書データの発行要求を受け付ける発行要求受付手段と、
前記発行要求受付手段で受け付けた発行要求に従って、第１の文書データを生成し発行する発行手段と、
前記発行手段で発行した第１の文書データを発行する場合に、前記第１の文書データに対応した第２の文書データを生成する生成手段と、
前記生成手段で生成した第２の文書データを、印刷データとして、前記クライアント装置より取得した認証情報と紐付けて記憶する記憶手段と、
前記画像処理装置から認証情報を取得してログインを受け付けた場合に、前記記憶手段で記憶した第２の文書データであって、前記画像処理装置より取得した認証情報と一致する認証情報と紐付いて記憶された第２の文書データを特定する特定手段と、
前記特定手段で特定した第２の文書データを、前記画像処理装置に送信する送信手段と
して機能させることを特徴とするプログラム。
【請求項７】
情報処理装置へログインし、文書データの発行を要求するクライアント装置と、前記クライアント装置からのログインを受け付け、ログインに用いた認証情報に基づいて文書データの発行と記憶を行う情報処理装置と、前記文書データを印刷する画像処理装置とを含む情報処理システムであって、
前記情報処理装置は、
前記クライアント装置からの文書データの発行要求を受け付ける発行要求受付手段と、
前記発行要求受付手段で受け付けた発行要求に従って、第１の文書データを生成し発行する発行手段と、
前記発行手段で発行した第１の文書データを発行する場合に、前記第１の文書データに対応した第２の文書データを生成する生成手段と、
前記生成手段で生成した第２の文書データを、印刷データとして、前記クライアント装置より取得した認証情報と紐付けて記憶する記憶手段と、
前記画像処理装置から認証情報を取得してログインを受け付けた場合に、前記記憶手段で記憶した第２の文書データであって、前記画像処理装置より取得した認証情報と一致する認証情報と紐付いて記憶された第２の文書データを特定する特定手段と、
前記特定手段で特定した第２の文書データを、前記画像処理装置に送信する送信手段と
を備え、
前記画像処理装置は、
前記送信手段で送信された第２の文書データを受信する受信手段と、
前記受信手段で受信した第２の文書データの一覧を、表示画面に表示する表示手段と、
前記受信手段で受信した第２の文書データを印刷する印刷手段と、
を備えることを特徴とする情報処理システム。
【発明の詳細な説明】
【技術分野】
【０００１】
本発明は、情報処理装置、その制御方法及びプログラム、並びに情報処理システムに関する。
【背景技術】
【０００２】
近年、文書の電子化が進み、多くの書面が電子データで管理されるようになっているが、証明書等の個人情報に関するような正式な書類に関しては未だ紙面にて取り扱われており、また、その内容の機密性や、媒体となる紙の特殊性故に取得場所及び取得元となる装置媒体が限定されている場合がある。そのため、急遽証明書等の正式な書面が必要となった場合でも、わざわざ証明書を発行している場所に行き、所定の手続きを踏んで、または専用の発行機にて書面を取得する必要があり、時間も手間もかかってしまうため、必要な時に証明書を取得できないという問題があった。その対策の１つとして、特許文献１には、住民票等の証明書を任意の場所から即時に取得可能とする証明書発行方式が開示されている。特に、入力手段と出力手段としてファクシミリ装置（「ＦＡＸ装置」と略記する）を使用し、ＦＡＸ装置が設置された場所であれば、どこからでも証明書の取得が可能とするように動作するものである。
【先行技術文献】
【特許文献】
【０００３】
【特許文献１】特開平９−３１９７９８号公報
【発明の概要】
【発明が解決しようとする課題】
【０００４】
しかしながら、特許文献１に記載のＦＡＸによる証明書発行方式においては、即時に任意の場所から該証明書を取得することが可能ではあるものの、該証明書は指定の用紙（厚紙であり、地紋印刷や模様があるもの等）等を用いて発行されることが多い正式な証明書とは異なる証明書であり、前述した正式な証明書を取得する場合には、別個に今まで通りの面倒な処理を経て証明書を取得する必要がある。
【０００５】
本発明は上記の課題を解決するためになされたものであり、例えば、急遽証明書が必要となった場合等に、ユーザはまず、正式な証明書とは異なる証明書としての各種証明書を取得して正式な証明書の代わりとするものと想定し、該各種証明書の発行を以って、後に行う正式な証明書の印刷を容易にする情報処理装置、その制御方法及びプログラム、並びに情報処理システムを提供することを目的とする。
【課題を解決するための手段】
【０００６】
上記の目的を達成するために、本発明の情報処理装置は、クライアント装置、または画像処理装置からのログインを受け付け、ログインに用いた認証情報に基づいてデータの発行、記憶を行う情報処理装置であって、前記クライアント装置からの文書データの発行要求を受け付ける発行要求受付手段と、前記発行要求受付手段で受け付けた発行要求に従って、第１の文書データを生成し発行する発行手段と、前記発行手段で発行した第１の文書データを発行する場合に、前記第１の文書データに対応した第２の文書データを生成する生成手段と、前記生成手段で生成した第２の文書データを、印刷データとして、前記クライアント装置より取得した認証情報と紐付けて記憶する記憶手段と、前記画像処理装置から認証情報を取得してログインを受け付けた場合に、前記記憶手段で記憶した第２の文書データであって、前記画像処理装置より取得した認証情報と一致する認証情報と紐付いて記憶された第２の文書データを特定する特定手段と、前記特定手段で特定した文書データを、前記画像処理装置に送信する送信手段とを備えることを特徴とする。
【発明の効果】
【０００７】
本発明によれば、正式在学証明書とは異なる証明書としての仮在学証明書の発行を以って、後に行う正式在学証明書の印刷を容易にすることができる。
【図面の簡単な説明】
【０００８】
【図１】本発明の実施形態における情報処理システムの構成の一例を示す構成図である。
【図２】本発明の実施形態におけるクライアントＰＣ１０１とサーバ１０２のハードウェア構成を示す図である。
【図３】本発明の実施形態における複合機１０３とプリンタ１０４のハードウェア構成を示す図である。
【図４】本発明の実施形態における各種装置の機能構成を示すブロック図である。
【図５】本発明の第１の実施形態における仮在学証明書の発行と正式在学証明書の印刷ジョブの生成処理の一例の詳細を示すフローチャートである。
【図６】本発明の第１の実施形態における正式在学証明書の発行処理の詳細を示すフローチャートである。
【図７】本発明の第２の実施形態における予約票の発行処理の詳細を示すフローチャートである。
【図８】本発明の第２の実施形態における予約票を利用した正式在学証明書の発行処理の詳細を示すフローチャートである。
【図９】本発明の実施形態におけるクライアントＰＣ１０１から学内サーバ１０２にログインするための認証情報の入力を受け付けるログイン画面の構成の一例を示す図である。
【図１０】本発明の実施形態に係るクライアントＰＣ１０１の表示画面に表示されるリクエスト送信画面の一例を示す図である。
【図１１】本発明の第１の実施形態におけるクライアントＰＣ１０１の表示画面に表示される、仮在学証明書の構成の一例を示す図である。
【図１２】本発明の実施形態における印刷ジョブを一覧表示する表示画面の構成の一例を示す図である。
【図１３】本発明の第２の実施形態におけるクライアントＰＣ１０１の、予約票を表示した画面の構成の一例を示す図である。
【図１４】本発明の第１の実施形態における、学生ＩＤと正式在学証明書のジョブの関連付けデータテーブルの構成の一例を示す図である。
【図１５】本発明の第１の実施形態における、正式な在学証明書の印刷ジョブの保存形態を表す図の構成の一例を示す図である。
【図１６】本発明の第２の実施形態における学生ＩＤと予約番号の関連付けデータテーブルの構成の一例を示す図である。
【発明を実施するための形態】
【０００９】
以下、図面を参照して、本発明の実施形態を詳細に説明する。なお、本発明における実施形態については、学内外における在学証明書の印刷処理を例として説明する。具体的には、正式な在学証明書である正式在学証明書の代わりとする仮在学証明書（段落０００５でいう各種証明書にあたる証明書であり、請求項１でいう第１の文書データ）の発行を以って正式在学証明書（請求項１でいう第２の文書データ）のジョブの生成を行う実施形態を第１の実施形態として（図５の説明にて後述）説明し、仮在学証明書とともに発行される正式在学証明書の印刷に用いる予約票を利用した正式在学証明書の生成を第２の実施形態として（図７の説明にて後述）説明していく。なお、単に実施形態という場合には、第１、第２の実施体系の両方を示すものとする。
【００１０】
図１は、本発明の実施形態における情報処理システムの構成の一例を示す構成図である。図１は、本発明の情報処理システムのシステム構成の一例を示す図である。
【００１１】
本発明の情報処理システムは、図１に示すように、クライアントＰＣ１０１、学内サーバ１０２、複合機１０３（複合機１０３−１、複合機１０３−２）、プリンタ１０４等を備えて構成されている。ＷＡＮ１０５、ＬＡＮ１０６、ＬＡＮ１０７は上記の各装置を相互に通信可能に接続するためのネットワークである。
【００１２】
クライアントＰＣ１０１は、学内サーバ１０２に対して認証を要求し、仮在学証明書の発行を要求する機能を有する。
【００１３】
学内サーバ１０２は仮在学証明書と正式在学証明書の配信を行うサーバである。学内サーバ１０２は、ネットワークを介して、クライアントＰＣ１０１や複合機１０３とデータの送受信が可能である。
【００１４】
複合機１０３は本発明の画像処理装置として機能する装置であり、学内サーバ１０２で発行された印刷データや、スキャン機能を用いて作成された記憶装置に記憶されている電子画像データ、コピー機能、スキャンしたデータをクライアントＰＣ１０１の所定のディレクトリに送信する送信機能等を有している。
【００１５】
また、複合機１０３はカードリーダを備えており、カードリーダで読み取ったＩＣカードのカード情報を学内サーバ１０２に対して送信することで、学内サーバ１０２に対して認証要求を行う認証要求機能もまた備えている。
【００１６】
尚、本実施形態では複合機１０３を複合機１０３−１と１０３−２の２つとして記載しているが、ネットワークに接続される複合機１０３の台数は限定されない。また、図１のネットワーク上に接続される各種端末の構成は一例であり、用途や目的に応じて様々な構成例があることは言うまでもない。
【００１７】
また、複合機１０３の給紙段には正式在学証明書を印刷するための、地紋印刷や模様があるもの等の指定の用紙がセットされており、正式在学証明書は複合機１０３の指定の用紙を用いて印刷されるものとする。つまり、本実施形態におけるプリンタ１０４では上記の指定の用紙がセットされていないため、正式在学証明書を印刷することが出来ないものとする。
【００１８】
プリンタ１０４は、クライアントＰＣ１０１が、学内サーバ１０２で発行された仮在学証明書を取得した後、印刷指示を受け付けた場合に、該仮在学証明書を印刷する印刷機能を有する。以上が図１の本発明の情報処理システムのシステム構成の一例の説明である。
【００１９】
次に、図２を参照して、図１に示すクライアントＰＣ１０１、学内サーバ１０２、ハードウェア構成の一例について説明する。図２は、本発明の実施形態におけるクライアントＰＣ１０１と学内サーバ１０２のハードウェア構成を示す図である。
【００２０】
ＣＰＵ２０１は、システムバス２０４に接続される各デバイスやコントローラを統括的に制御する。
【００２１】
また、ＲＯＭ２０２あるいは外部メモリ２１１には、ＣＰＵ２０１の制御プログラムであるＢＩＯＳ(Ｂａｓｉｃ  Ｉｎｐｕｔ  ／  Ｏｕｔｐｕｔ  Ｓｙｓｔｅｍ)やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００２２】
ＣＰＵ２０１は、処理の実行に際して必要なプログラム等をＲＡＭ２０３にロードして、プログラムを実行することで各種動作を実現するものである。また、入力コントローラ（入力Ｃ）２０５は、キーボード２０９や不図示のマウス等のポインティングデバイスからの入力を制御する。
【００２３】
ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。これらは必要に応じて管理者が使用するものである。本発明には直接関係があるものではない。
【００２４】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２１１へのアクセスを制御する。
【００２５】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２６】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２７】
本発明を実現するためのプログラムは外部メモリ２１１に記録されており、必要に応じてＲＡＭ２０３にロードされることによりＣＰＵ２０１によって実行されるものである。さらに、本発明に係わるプログラム２１２が用いる定義ファイル２１３及び各種情報テーブル２１４は外部メモリ２１１に格納されており、これらについての詳細な説明は後述する。以上が、図２に示す本発明の実施形態におけるクライアントＰＣ１０１と学内サーバ１０２のハードウェア構成の説明である。
【００２８】
次に図３を参照して、本発明の実施形態における複合機１０３とプリンタ１０４のハードウェア構成の一例の詳細について説明する。図３は、本発明の実施形態における複合機１０３とプリンタ１０４のハードウェア構成の一例を示す図である。
【００２９】
図３に示すように、画像処理装置３００（複合機１０３、プリンタ１０４）は、コントローラユニット３２０と、操作部３３０と、カードリーダ３４０と、プリンタ３５０と、スキャナ３６０の各ハードウェア構成を有して構成されている。
【００３０】
また、コントローラユニット３２０は、ＣＰＵ３０１と、ＲＡＭ（Ｒａｎｄａｍ  Ａｃｃｅｓｓ  Ｍｅｍｏｒｙ）３０２と、ＲＯＭ（Ｒｅａｄ  Ｏｎｌｙ  Ｍｅｍｏｒｙ）３０３と、ＨＤＤ（ハードディスクドライブ）３０４と、Ｎｅｔｗｏｒｋ  Ｉ／Ｆ（ネットワークインターフェース）３０５と、ＭＯＤＥＭ（変調装置）３０６と、操作部Ｉ／Ｆ（操作部インターフェース）３０７と、ＩＭＡＧＥ  ＢＵＳ  Ｉ／Ｆ（イメージバスインターフェース）３０８と、外部Ｉ／Ｆ（外部インターフェース）３０９と、システムバス３１０と、ＲＩＰ（Ｒａｓｔｅｒ  Ｉｍａｇｅ  Ｐｒｏｃｅｓｓｏｒ）３１１と、プリンタＩ／Ｆ（プリンタインターフェース）３１２と、スキャナＩ／Ｆ（スキャナインターフェース）３１３と、画像処理部３１４と、画像バス３１５の各ハードウェア構成を有して構成されている。
【００３１】
コントローラユニット３２０は、画像入力装置として機能するスキャナ３６０や、画像出力装置として機能するプリンタ３５０と接続する一方、図１におけるＬＡＮ（ローカルエリアネットワーク）１０６、ＬＡＮ１０７や、例えばＰＳＴＮ（Ｐｕｂｌｉｃ  Ｓｗｉｔｃｈｅｄ  Ｔｅｌｅｐｈｏｎｅ  Ｎｅｔｗｏｒｋ）またはＩＳＤＮ（Ｉｎｔｅｇｒａｔｅｄ  Ｓｅｒｖｉｃｅｓ  Ｄｉｇｉｔａｌ  Ｎｅｔｗｏｒｋ）等のＷＡＮ（公衆回線、図１のＷＡＮ１０５）と接続することで、画像データやデバイス情報の入出力を行う。
【００３２】
ＣＰＵ３０１は、システムバス３１０に接続される各デバイスやコントローラを統括的に制御する。
【００３３】
また、ＲＯＭ３０３あるいはＨＤＤ３０４には、ＣＰＵ３０１の制御プログラムであるＢＩＯＳ(Ｂａｓｉｃ  Ｉｎｐｕｔ  ／  Ｏｕｔｐｕｔ  Ｓｙｓｔｅｍ)やオペレーティングシステムプログラム（以下、ＯＳ）や、各複合機或いは各プリンタの実行する機能を実現するために必要な後述する各種プログラム等が記憶されている。
【００３４】
なお、ＨＤＤ３０４は情報を永続的に記憶するための媒体であって、その形態をＨＤＤに限定するものではない。例えば、ＳＳＤ（Ｓｏｌｉｄ  Ｓｔａｔｅ  Ｄｒｉｖｅ）などの媒体であってもよい。
【００３５】
ＣＰＵ３０１は、処理の実行に際して必要なプログラム等をＲＡＭ３０２にロードして、プログラムを実行することで各種動作を実現するものである。また、外部Ｉ／Ｆ３０９は、カードリーダ３４０等からの入力を制御する。
【００３６】
ＲＡＭ３０２は、ＣＰＵ３０１が動作するためのワークメモリであり、また、プログラムを記録するためのプログラムメモリや、画像データを一時記録するための画像メモリの機能も有する。例えば、カードリーダ３４０で読み取ったカードＩＤなどが記憶される。
【００３７】
ＮｅｔｗｏｒｋＩ／Ｆ３０５は、ネットワークを介して、外部機器と接続・通信するものであり、ネットワークでの通信制御処理を実行する。例えば、ＴＣＰ／ＩＰを用いたインターネット通信等が可能である。
【００３８】
操作部Ｉ／Ｆ３０７は、ユーザインターフェース（ＵＩ）である操作部３３０におけるインターフェースであり、操作部３３０に表示する画像データを操作部３３０に対して出力する表示制御を行う。表示器はＣＲＴだけでなく、液晶ディスプレイでも構わない。これらは本発明には直接関係があるものではない。
【００３９】
なお、操作部３３０は、キーボードに相当するタッチパネル機能を備え、該表示部に表示されたボタンがユーザにより押下されることで、操作部３３０を有する装置（例えば本発明の実施形態における複合機１０３、プリンタ１０４等）に対する各種指示を行うことが可能である。
【００４０】
ＩＭＡＧＥ  ＢＵＳ  Ｉ／Ｆ３０８は、システムバス３１０と、画像データを高速で転送する画像バス３１５とを接続し、データ構造を変換するバスブリッジである。
【００４１】
外部Ｉ／Ｆ３０９は、ＵＳＢ、ＩＥＥＥ１３９４、プリンタポート、ＲＳ−２３２Ｃ等の外部入力を受け付けるインターフェースである。本発明における実施形態では、外部Ｉ／Ｆ３０９は、ＩＣカードにてユーザ認証を行う為のＩＣカード情報を読み取るカードリーダ３４０が接続されている。
【００４２】
また、ＣＰＵ３０１は、前記外部Ｉ／Ｆ３０９を介して前記カードリーダからの情報の読み取りを制御し、該ＩＣカードから前記認証の為の情報を取得することが可能である。以上の３０１〜３０９に示すデバイスがシステムバス３１０上に配置され、相互に通信可能となっている。
【００４３】
ＲＩＰ３１１は、例えば、ＰＤＬコード等のベクトルデータをビットマップイメージに展開する。
【００４４】
プリンタＩ／Ｆ３１２は、プリンタ３５０とコントローラユニット３２０とを接続し、画像データの同期系／非同期系の変換を行う。
【００４５】
スキャナＩ／Ｆ３１３は、スキャナ３６０とコントローラユニット３２０とを接続し、画像データの同期系／非同期系の変換を行う。
【００４６】
画像処理部３１４は、入力画像データに対して、補正処理、加工処理、編集処理を行ったり、プリント出力画像データに対して、プリンタの補正処理、解像度変換処理等を行ったりする。また、画像処理部３１４は、これらの処理に加えて、画像データの回転処理や、多値画像データに対してはＪＰＥＧ（Ｊｏｉｎｔ  Ｐｈｏｔｏｇｒａｐｈｉｃ  Ｅｘｐｅｒｔｓ  Ｇｒｏｕｐ）、２値画像データに対してはＪＢＩＧ（Ｊｏｉｎｔ  Ｂｉｌｅｖｅｌ  Ｉｍａｇｅ  ｅｘｐｅｒｔｓ  Ｇｒｏｕｐ）、ＭＲ（Ｍｏｄｉｆｉｅｄ  ＲＥＡＤ）、ＭＭＲ（Ｍｏｄｉｆｉｅｄ  Ｍｏｄｉｆｉｅｄ  ＲＥＡＤ）、ＭＨ（Ｍｏｄｉｆｉｅｄ  Ｈｕｆｆｍａｎ）等の圧縮伸張処理を行う。
【００４７】
以上の３０８、３１１〜３１４に示すデバイスが画像バス３１５上に配置され、相互に通信可能となっている。画像バス３１５は、例えば、ＰＣＩ（Ｐｅｒｉｐｈｅｒａｌ  Ｃｏｍｐｏｎｅｎｔ  Ｉｎｔｅｒｃｏｎｎｅｃｔ）バスまたはＩＥＥＥ１３９４で構成されている。
【００４８】
操作部３３０は、具体的に、ＬＣＤ（Ｌｉｑｕｉｄ  Ｃｒｙｓｔａｌ  Ｄｉｓｐｌａｙ）表示部を有し、当該ＬＣＤ表示部上にタッチパネルシートが貼られており、本システムの操作画面を表示するとともに、表示した操作画面のキー（ボタン）が押されると、その位置情報が操作部Ｉ／Ｆ３０７を介してＣＰＵ３０１に伝えられる。また、操作部３３０は、各種の操作キーとして、例えば、スタートキー、ストップキー、ＩＤキー、リセットキー等のキーボード機能を備える。
【００４９】
ここで、操作部３３０のスタートキーは、例えば、原稿画像の読み取り動作を開始する際などに操作される。このスタートキーの中央部には、例えば、緑と赤の２色のＬＥＤ（Ｌｉｇｈｔ  Ｅｍｉｔｔｉｎｇ  Ｄｉｏｄｅ）があり、その各色の発光によってスタートキーが使える状態にあるかどうかが示される。
【００５０】
また、操作部３３０のストップキーは、例えば、稼働中の動作を止める際などに操作される。また、操作部３３０のＩＤキーは、例えば、ユーザ（使用者）のユーザＩＤを入力する際などに操作される。また、操作部３３０のリセットキーは、例えば、操作部３３０による設定を初期化する際などに操作される。
【００５１】
カードリーダ３４０は、ＣＰＵ３０１からの制御により、認証カードに相当するＩＣカード（例えば、ソニー社のフェリカ（ＦｅｌｉＣａ）（登録商標））内に記憶されているユーザ識別情報を読み取るものである。カードリーダ３４０で読み取られたユーザ識別情報は、外部Ｉ／Ｆ３０９を介してＣＰＵ３０１へ通知される。
【００５２】
プリンタ３５０は、例えば、ラスタイメージデータを用紙上に画像として変換するものである。その変換方式としては、感光体ドラムや感光体ベルトを用いた電子写真方式や、微少ノズルアレイからインクを吐出して用紙上に直接画像を印字するインクジェット方式等があるが、どの変換方式を用いても構わない。
【００５３】
プリンタ３５０のプリント動作の起動は、ＣＰＵ３０１からの指示によって開始される。なお、プリンタ３５０には、異なる用紙のサイズまたは異なる用紙の向きを選択できるように複数の給紙段が構成されており、それぞれの給紙段に対応した用紙カセットが設けられている。
【００５４】
スキャナ３６０は、原稿となる紙上の画像を照明し、ＣＣＤ（Ｃｈａｒｇｅ  Ｃｏｕｐｌｅｄ  Ｄｅｖｉｃｅ）ラインセンサを用いて原稿を走査することで、原稿の画像をラスタイメージデータとして電気信号に変換する。
【００５５】
原稿用紙は原稿フィーダのトレイにセットされ、複合機１０３のユーザが操作部３３０から読み取り起動指示を行うことにより、ＣＰＵ３０１がスキャナ３６０に指示を与え、フィーダは、原稿用紙を１枚ずつフィードして原稿の画像の読み取り動作を行う。
【００５６】
以上のような構成によって、複合機１０３は、スキャナ３６０から読み込んだ画像データをＬＡＮ１０６上に送信したり、ＬＡＮ１０６から受信した印刷データをプリンタ３５０で印刷出力したりすることができる。また、プリンタ１０４は、ＬＡＮ１０７や、ＷＡＮ１０５から受信した画像データをプリンタ３５０で印刷出力したりすることができる。以上が図３の、本発明の実施形態における複合機１０３とプリンタ１０４のハードウェア構成の一例を示す図である。
【００５７】
次に図４を参照して、本発明の実施形態における各種装置の機能構成を示すブロック図の一例について説明する。図４は、本発明の実施形態における各種装置の機能構成を示すブロック図である。
【００５８】
認証情報送信部４０１は、クライアントＰＣ１０１が学内サーバにログインするための認証情報を送信する。認証情報管理部４０２は、クライアントＰＣ１０１および複合機１０３からの接続要求に対し学内サーバ１０２が接続の可否を判断する認証部である。
【００５９】
仮在学証明書発行要求部４０３は、仮在学証明書の発行要求を学内サーバに送信する。仮在学証明書生成部４０４は、クライアントＰＣ１０１から受付けた仮在学証明書の発行要求に従って仮在学証明書を生成し、クライアントＰＣ１０１に配信する。
【００６０】
予約票生成部４０５は、後述の正式在学証明書生成部４０６と正式在学証明書印刷ジョブ生成部４０７の機能を利用せずに正式在学証明書発行処理を行う際（第２の実施例として後述）に用いる予約票を生成し、仮在学証明書生成部４０４が生成する仮在学証明書の配信と同時にクライアントＰＣ１０１に配信する。
【００６１】
正式在学証明書生成部４０６は、仮在学証明書生成部４０４生成した仮在学生成書と対応する正式在学証明書を、仮在学証明書の生成と同時に自動的に生成する。
【００６２】
本発明の実施形態における仮在学証明書と正式在学証明書はどちらも、認証情報管理部４０２で認証に利用したＩＤ情報、例えば学生ＩＤ等の認証情報と、学内サーバの保持する証明書のフォーマットデータとの組み合わせで生成されるものであり、例えば同一のタイミングで、同一の認証情報に基づいて生成されたことを以って対応付けられるものとする。
【００６３】
正式在学証明書印刷ジョブ生成部４０７は、正式在学証明書生成部４０６で生成された正式在学証明書の印刷ジョブを生成する生成部である。
【００６４】
データ保持部４０８は、正式在学証明書印刷ジョブ生成部４０７において生成した印刷ジョブを、認証情報管理部４０２で認証に利用した学生ＩＤ等の認証情報と紐付けて、学内サーバ１０２内で保持する。なお、図４に記載の予約番号は、第２の実施例で用いる予約票４１４と対応した、例えば複数の英数字組み合わせ等の番号である（例えば図１３の予約コード１３０２）。
【００６５】
証明書・予約票取得部４０９は、学内サーバ１０２における、仮在学証明書生成部４０４から配信された仮在学証明書を受信し、クライアントＰＣ１０１の画面に表示する。この際、予約票生成部４０５において予約票が生成され、配信された場合は、前記仮在学証明書の文書データと共に予約票のデータも受信する。
【００６６】
印刷指示部４１０は、キーボード２０９や不図示のマウス等のポインティングデバイスを介した操作指示に従って、プリンタ１０４に、証明書・予約票取得部４０９が取得したデータの印刷ジョブを生成、送信し、印刷を指示する指示部である。
【００６７】
印刷ジョブ取得部４１１は、クライアントＰＣ１０１から送信された印刷ジョブを取得する。印刷部４１２は、印刷ジョブ取得部４１１が取得した印刷ジョブを用紙に印刷する。例えば仮在学証明書４１３、予約票４１４を印刷する。
【００６８】
複合機１０３の認証情報送信部４１５は、複合機１０３から学内サーバ１０２にログインするためのログイン情報を送信する。例えば、カードリーダで読み取ったＩＣカードのカード情報を学内サーバに対して送信する。
【００６９】
印刷ジョブ取得部４１６は、複合機１０３が学内サーバに接続する際に利用した認証情報をもとに、データ保持部４０８から、同一の認証情報を有する印刷ジョブを取得して、該印刷ジョブの一覧データを複合機１０３に送信する。
【００７０】
印刷ジョブ表示部４１７は、印刷ジョブ取得部４１６により送信された印刷ジョブをすべてタッチパネルに表示する表示制御を行う。印刷部４１８は、ユーザによる選択指示を受け付けた印刷ジョブの取得要求を学内サーバ１０２に送信し、該取得要求を受けた学内サーバ１０２が送信した印刷ジョブを印刷する。これにより正式在学証明書４１９が印刷される。
【００７１】
なお、本発明の第１の実施形態においては、まず正式在学証明書の印刷ジョブの一覧データを複合機１０３に送信し、複合機１０３からのジョブ取得要求に従って正式在学証明書の印刷ジョブを複合機１０３に送信する形態を取っているが、印刷ジョブの送信方法については必ずしも本形態に限るものではない。
【００７２】
例えば、複合機１０３が、前記一覧データを表示するための表示部（タッチパネル等）を有していない場合、複合機１０３への一覧データの送信を行わずに印刷ジョブを送信し、印刷ジョブ表示部４１７で印刷ジョブを表示する表示制御を行うことなく、印刷部４１８で正式在学証明書４１９印刷を行うようにしてもよい。
【００７３】
また、スキャン部４２０は、前述の予約票生成部４０５において予約票を生成する第２の実施形態において、予約票４１４のスキャンを受け付ける。スキャンデータ送信部４２１は、スキャン部４２０において取得したスキャンデータを、学内サーバ１０２に送信する。
【００７４】
スキャンデータ解析部４２２は、複合機１０３から受信した予約票のスキャンデータを解析し、予約番号と予約番号に紐付く認証情報を取得し、正式在学証明書生成部４０６に送信する。以上が図４に示す、本発明の実施形態における各種装置の機能構成を示すブロック図の一例についての説明である。
【００７５】
以下、図５〜図６を参照し、仮在学証明書の発行を以って正式在学証明書の印刷ジョブを生成し、認証情報である学生ＩＤと紐付けて記憶することで、複合機にログインした際の正式在学証明書印刷を容易にする第１の実施例について説明する。
【００７６】
まず、図５を参照して、本発明の第１の実施形態における仮在学証明書の発行と正式在学証明書の印刷ジョブの生成処理の一例の詳細について説明する。図５は、本発明の第１の実施形態における仮在学証明書の発行と正式在学証明書の印刷ジョブの生成処理の一例の詳細を示すフローチャートである。
【００７７】
ステップＳ５０１において、クライアントＰＣ１０１のＣＰＵ２０１は、ウェブブラウザから学内サーバ１０２にログインするため画面であるログイン画面９０１（図９を参照して後述）のような画面から、認証情報を学内サーバ１０２に送信する。尚、認証情報には学生を識別する、例えば学生証であるＩＣカードに記憶されている学生ＩＤ等を用いることを前提とする。
【００７８】
ここで、図９を参照してクライアントＰＣ１０１から学内サーバ１０２にログインするための認証情報の入力を受け付けるログイン画面の構成の一例について説明する。図９は、本発明の実施形態におけるクライアントＰＣ１０１から学内サーバ１０２にログインするための認証情報の入力を受け付けるログイン画面の構成の一例を示す図である。
【００７９】
図９に示すようにログイン画面９０１は、ＵＲＬ入力受付部９０２、学生ＩＤ入力受付部９０３、パスワード入力受付部９０４、「ログイン」ボタン９０５等によって構成されている。ＵＲＬ入力受付部９０２は、ログイン画面９０１を表示画面に表示するためのＵＲＬの入力を受け付ける入力受付部である。
【００８０】
学生ＩＤ入力受付部９０３は、学内サーバ１０２にログインするための認証情報である学生ＩＤの入力を受け付ける入力受付部である。パスワード入力受付部９０４は、ＩＣカードを用いずに学内サーバ１０２にログインするための認証情報であるパスワードの入力を受け付ける入力受付部である。
【００８１】
「ログイン」ボタン９０５は、学生ＩＤ入力受付部９０３で入力を受け付けた学生ＩＤと、パスワード入力受付部９０４で入力を受け付けたパスワード情報を学内サーバ１０２に送信することで、学内サーバ１０２へのログインを要求するためのボタンである。以上が図９の、クライアントＰＣ１０１から学内サーバ１０２にログインするための認証情報の入力を受け付けるログイン画面の構成の一例の説明である。
【００８２】
図５の説明に戻る。クライアントＰＣ１０１のＣＰＵ２０１は、ログイン画面９０１の「ログイン」ボタン９０５の押下を受け付けることで、認証情報を学内サーバ１０２に送信し、学内サーバ１０２へログインする（つまり、クライアント装置からのログインを受け付ける）。ログインを行った場合、リクエスト送信画面１００１（図１０を参照して後述）が表示画面に表示される。
【００８３】
ここで図１０を参照して、本発明の実施形態に係るクライアントＰＣ１０１の表示画面に表示されるリクエスト送信画面の構成の一例について説明する。図１０は、本発明の実施形態に係るクライアントＰＣ１０１の表示画面に表示されるリクエスト送信画面の構成の一例を示す図である。
【００８４】
図１０に示すようにリクエスト送信画面１００１は、学生ＩＤ表示部１００２、「仮在学証明書発行」ボタン１００３、ＵＲＬ表示部１００４等によって構成されている。学生ＩＤ表示部は、学内サーバ１０２にログインに用いられた学生ＩＤを表示する表示部である。
【００８５】
「仮在学証明書発行」ボタン１００３は、学内サーバ１０２に対して、仮在学証明書の発行要求を行うためのボタンである。ＵＲＬ表示部１００４は、リクエスト送信画面１００１のＵＲＬを表示する表示部である。以上が図１０の、本発明の実施形態に係るクライアントＰＣ１０１の表示画面に表示される、リクエスト送信画面の構成の一例についての説明である。
【００８６】
図５の説明に戻る。クライアントＰＣ１０１のＣＰＵ２０１は、リクエスト送信画面１００１で仮在学証明書発行ボタン１００３の押下を受け付けることにより、学内サーバ１０２に仮在学証明書の発行要求を送信する（ステップＳ５０２）。尚、発行要求送信時に同時に学生ＩＤを送信する。学内サーバ１０２のＣＰＵ２０１はクライアントＰＣ１０１からの仮在学証明書発行要求を受信する（ステップＳ５０３）。
【００８７】
ステップＳ５０４において、学内サーバ１０２のＣＰＵ２０１は、クライアントＰＣ１０１から受信した仮在学証明書発行要求に応じて、ステップＳ５０１で取得した認証情報である学生ＩＤから特定される、各学生の仮在学証明書の生成のために必要な情報を用いて仮在学証明書を発行する。この際、仮在学証明書生成のために必要な情報は、クライアントＰＣ１０１より送信された学生ＩＤをキーとして外部メモリ２１１等の記憶装置（図４でいう認証情報管理部４０２）から取得する。発行する仮在学証明書は例えば仮在学証明書画面１１０１に表示されているような証明書である。学内サーバ１０２のＣＰＵ２０１は、ステップ５０４で発行した仮在学証明書を、クライアントＰＣ１０１に配信する。
【００８８】
ここで図１１を参照して、本発明の第１の実施形態におけるクライアントＰＣ１０１の表示画面に表示される、仮在学証明書の構成の一例について説明する。図１１は、本発明の第１の実施形態におけるクライアントＰＣ１０１の表示画面に表示される、仮在学証明書の構成の一例を示す図である。図１１に示すように、仮在学証明書画面１１０１は学生ＩＤ記載部１１０２、本文記載部１１０３、発行日記載部１１０４等から構成されている。
【００８９】
学生ＩＤ記載部１１０２は、仮在学証明書の発行の要求を行う際に用いられた学生ＩＤを記載する記載部である。本文記載部１１０３は、仮在学証明書の本文を記載する記載部であり、該本文の記載には、予め学内サーバ１０２の外部メモリ２１１等の記憶装置に記憶されている在学証明書のフォーマットデータに記録された本文データを利用している。
【００９０】
発行日記載部１１０４は、学内サーバ１０２のＣＰＵ２０１が仮在学証明書を発行した発行日時を記載する記載部である。以上が図１１の、本発明の第１の実施形態における仮在学証明書の構成の一例についての説明である。
【００９１】
図５の説明に戻る。クライアントＰＣ１０１のＣＰＵ２０１は、仮在学証明書を学内サーバ１０２より取得する（ステップＳ５０５）。このとき取得した仮在学証明書を仮在学証明書画面１１０１に表示する。これにより、クライアントＰＣ１０１のＣＰＵ２０１は、仮在学証明書の発行要求から取得までの処理を終了する。
【００９２】
また、学内サーバ１０２のＣＰＵ２０１は、ステップＳ５０４で仮在学証明書を発行したことを受けて、ステップＳ５０４で発行した仮在学証明書の数と同じ数だけ正式在学証明書を生成する。この際、仮在学証明書生成のために必要な情報は、クライアントＰＣ１０１のＣＰＵ２０１により送信された学生ＩＤをキーとして認証情報管理部から取得する。
【００９３】
生成した正式在学証明書の印刷ジョブは、仮在学証明書を発行する際に用いた認証情報認である学生ＩＤと、ジョブ生成の履歴情報とともに外部メモリ２１１等の記憶装置に記憶した印刷ジョブと認証情報の関連付けの状態については図１４を参照して後述する。
【００９４】
ここで図１４を参照して、本発明の第１の実施形態における、学生ＩＤと正式在学証明書のジョブの関連付けデータテーブルの構成の一例について説明する。図１４は本発明の第１の実施形態における、学生ＩＤと正式在学証明書のジョブの関連付けデータテーブルの構成の一例を示す図である。
【００９５】
図１４に示す通り、関連付けデータテーブル１４０１は、学生ＩＤ１４０２、ジョブＩＤ１４０３、ジョブ生成日１４０４、ジョブ名称１４０５から構成される。学生ＩＤ１４０２には、学内サーバ１０２のＣＰＵ２０１が仮在学証明書を発行する際に用いた認証情報である学生ＩＤが設定される。
【００９６】
ジョブＩＤ１４０３には、正式な在学証明書の印刷ジョブを一意に識別するために、該印刷ジョブを記憶する際に付与するＩＤ情報が設定される。学内サーバ１０２のＣＰＵ２０１は、ジョブＩＤ１４０３を図１５のジョブＩＤ１５０２を特定する際のキー情報として用いる。
【００９７】
ここで図１５を参照して、本発明の第１の実施形態における、正式な在学証明書の印刷ジョブの保存形態を示すデータテーブルの構成の一例について説明する。図１５は、本発明の第１の実施形態における、正式な在学証明書の印刷ジョブの保存形態を示すデータテーブルの構成の一例を示す図である。
【００９８】
図１５に示す通り、印刷ジョブデータテーブル１５０１は、ジョブＩＤ１５０２、印刷ジョブ１５０３から構成される。ジョブＩＤ１５０２は、図１４のジョブＩＤ１４０３の説明で前述した通り、正式な在学証明書の印刷ジョブを一意に識別するために、該印刷ジョブを記憶する際に付与するＩＤ情報が設定される。
【００９９】
印刷ジョブ１５０３には、ジョブＩＤ１５０２の値をジョブＩＤとして有する、外部メモリ２１１等の記憶装置に記憶された、スプールフォルダに記憶されている正式な在学証明書の印刷ジョブが設定される。以上が図１５の、本発明の第１の実施形態における、正式な在学証明書の印刷ジョブの保存形態を示すデータテーブルの構成の一例についての説明である。
【０１００】
図１４の説明に戻る。ジョブ生成日１４０４には、正式在学証明書の生成日時が設定される。ジョブ名称１４０５には、学内サーバ１０２のＣＰＵ２０１が仮在学証明書を発行することで生成された正式在学証明書の印刷ジョブのジョブ名称が設定される。本実施形態では、ジョブ名称１４０５には、デフォルトとして“在学証明書”が設定されるものとする。以上が図１４の、本発明の第１の実施形態における、学生ＩＤと正式在学証明書のジョブの関連付けデータテーブルの構成の一例についての説明である。
【０１０１】
図５の説明に戻る。学内サーバ１０２のＣＰＵ２０１は、ステップＳ５０６で認証情報である学生ＩＤと、正式在学証明書の印刷ジョブと、ジョブ生成の履歴情報を記憶した後、処理を終了する。以上が図５の、本発明の第１の実施形態における仮在学証明書の発行と正式在学証明書の印刷ジョブの生成処理の一例について説明である。
【０１０２】
次に図６を参照して、本発明の第１の実施形態における正式在学証明書の印刷処理の一例の詳細について説明する。図６は、本発明の第１の実施形態における正式在学証明書の印刷処理の詳細を示すフローチャートである。
【０１０３】
ステップＳ６０１において、複合機１０３のＣＰＵ３０１は学内サーバ１０２に接続するための認証情報を送信し、ログインを行う。尚、認証情報には学生を識別する学生ＩＤ等を用いることを前提とする。また、複合機１０３からユーザが学内サーバ１０２に接続するための認証情報の入力は、ＩＣカードをかざすことにより不図示のカードリーダから取得しても良いし、複合機のパネル上にソフトウェアキーボートを表示させて入力しても良い。（つまり、画像処理装置からのログインを受け付け、ログインに用いた認証情報に基づいてデータの発行、記憶を行う情報処理装置）。
【０１０４】
ステップＳ６０２において、学内サーバ１０２のＣＰＵ２０１は、複合機１０３から送信された認証情報のうち学生ＩＤ等の学生を識別する項目をキーとして、ステップＳ６０１で取得した学生ＩＤと同一の学生ＩＤの値を学生ＩＤ１４０２にもつ正式在学証明書の印刷ジョブを検索し、取得する。
【０１０５】
学内サーバ１０２のＣＰＵ２０１は、ステップＳ６０２で取得した印刷ジョブの件数が１件以上か否かを判定する。ステップＳ６０２で取得した印刷ジョブが０件の場合、処理をステップＳ６０８へと進める。ステップＳ６０２で取得した印刷ジョブが１件以上の場合、処理をＳ６０４に進める（ステップＳ６０３）。
【０１０６】
取得した印刷ジョブが０件の場合（ステップＳ６０２でＮＯ）、学内サーバ１０２のＣＰＵ２０１は、ステップＳ６０１で取得した学生ＩＤに紐付いて記憶された正式在学証明書の印刷ジョブが無いことを示すデータを複合機１０３に送信する。複合機１０３のＣＰＵ３０１は、前記正式在学証明書の印刷ジョブが無いことを示すデータを受信することで、正式在学証明書の一覧データを表示画面に表示することなく、不図示のメインメニュー画面を表示画面に表示する（ステップＳ６０７）。
【０１０７】
複合機１０３のＣＰＵ３０１は、不図示の前記メニュー画面よりユーザからの操作を受け付けることで、その他処理を実行する（ステップＳ６０８）。ここでいうその他処理とは、学生ＩＤに紐付いて記憶された正式在学証明書の印刷ジョブの選択操作以外の操作であって、例えば、不図示のクライアントＰＣより受信した印刷ジョブの印刷、紙文書のコピー、スキャン、ＦＡＸ、ログアウト処理等の処理のことである。
【０１０８】
一方、ステップＳ６０１で取得した学生ＩＤに紐付いた正式な在学証明書の印刷ジョブが１件以上あった場合（ステップＳ６０２でＹＥＳ）、学内サーバ１０２のＣＰＵ２０１はステップＳ６０２で取得した印刷ジョブの一覧情報を複合機１０３に送信する（ステップＳ６０４）。
【０１０９】
複合機１０３のＣＰＵ３０１はステップＳ６０２により送信された印刷ジョブを受信し（ステップＳ６０５）、受信した一覧データに基づいて、印刷ジョブの一覧を複合機１０３の操作部であるタッチパネルに表示する（ステップＳ６０６）。この際表示する画面は、例えば印刷ジョブ一覧表示画面１２０１のような画面である。
【０１１０】
ここで図１２を参照して、本発明の実施形態における印刷ジョブを一覧表示する表示画面の構成の一例について説明する。図１２は、本発明の実施形態における印刷ジョブを一覧表示する表示画面の構成の一例を示す図である。
【０１１１】
図１２に示すように、印刷ジョブ一覧表示画面１２０１は、チェックボックス１２０２、ジョブ名称表示部１２０３、発行日表示部１２０４、「印刷」ボタン１２０５、「削除」ボタン１２０６、「メインメニュー」ボタン１２０７等によって構成されている。
【０１１２】
チェックボックス１２０２は、ジョブ名称表示部１２０３と発行日表示部１２０４に設定された名称及び発行日を、それぞれジョブ名称１４０５とジョブ生成日１４０４に有する正式在学証明書の印刷ジョブの選択を受け付けたか否かで、チェックの有無を表示するチェックボックスである。
【０１１３】
ジョブ名称表示部１２０３は、表示されている印刷ジョブの名称である、図１４のジョブ名称１４０５に設定されたジョブ名称を表示する。発行日表示部１２０４は、該発行日１２０４を有する正式在学証明書の印刷ジョブの発行日を表示する表示部であって、ジョブ生成日１４０４に設定された生成日を表示する。
【０１１４】
「印刷」ボタン１２０５は、タッチパネルである操作部３３０に表示される印刷ジョブ一覧表示画面１２０１で選択を受け付けた印刷ジョブを印刷するためのボタンである。「削除」ボタン１２０６は、タッチパネルである操作部に表示される印刷ジョブ一覧表示画面１２０１で選択を受け付けた印刷ジョブを削除するためのボタンである。
【０１１５】
「メインメニュー」ボタン１２０７は、印刷ジョブ一覧表示画面１２０１から、図６のステップＳ６０８の説明で前述したその他処理を行うための、不図示のメインメニュー画面に操作部３３０に表示される画面を遷移させるためのボタンである。以上が図１２の、本発明の実施形態における印刷ジョブを一覧表示する表示画面の構成の一例の説明である。
【０１１６】
図６の説明に戻る。複合機１０３のＣＰＵ３０１は、操作部であるタッチパネルに表示した印刷ジョブの一覧から、選択操作を受け付けなかった場合（ステップＳ６０９でＮＯ）、複合機１０３のＣＰＵ３０１は処理をステップＳ６０７へ移行する。
【０１１７】
一方、タッチパネルに表示した印刷ジョブの一覧から印刷ジョブの選択操作を受け付けた場合（ステップＳ６０９でＹＥＳ）、複合機１０３のＣＰＵ３０１は選択された印刷ジョブの印刷指示を受け付けたか否かを判定する（ステップ６１０）。
【０１１８】
受け付けた指示が印刷指示ではなかったと判定した場合、複合機１０３のＣＰＵ３０１は処理をステップＳ６１１に移行し、受け付けた指示が削除指示か否かを判定する。受け付けた指示が削除指示でないと判定した場合、複合機１０３のＣＰＵ３０１は処理をステップＳ６０６へと移行し、再度印刷ジョブ一覧画面１２０１のような画面を操作部であるタッチパネルに表示する。
【０１１９】
受け付けた指示が削除指示であると判定した場合（ステップＳ６１１でＹＥＳ）、選択を受け付けた印刷ジョブの削除要求を学内サーバ１０２に送信し、学内サーバ１０２のＣＰＵ２０１は該削除要求に応じて正式在学証明書の印刷ジョブを削除し（ステップＳ６１２）、処理を終了する。
【０１２０】
複合機１０３のＣＰＵ３０１は、ステップＳ６１０で受け付けた指示が選択を受け付けた正式在学証明書の印刷ジョブの印刷指示であった場合（ステップＳ６１０でＹＥＳ）、学内サーバ１０２に選択を受け付けた印刷ジョブの取得要求を送信する（ステップＳ６１３）。
【０１２１】
複合機１０３からの印刷ジョブの取得要求を受信した（ステップＳ６１４）学内サーバ１０２のＣＰＵ２０１は、該取得要求に応じて印刷ジョブを複合機１０３に送信する（ステップＳ６１５）。
【０１２２】
複合機１０３のＣＰＵ３０１は、学内サーバ１０２より、ステップＳ６０９で選択を受け付けた正式在学証明書の印刷ジョブを受信し（ステップＳ６１６）、印刷を実行する（ステップＳ６１７）。以上が図６の、本発明の第１の実施形態における正式在学証明書の印刷処理の一例の詳細の説明である。
【０１２３】
尚、本実施形態においては、在学証明書の印刷データの一覧を複合機１０３に送信して表示し、操作を受け付けることで印刷を実行するが、実施の方法は必ずしもこれに限るものではない。例えば、表示機器を有さない画像処理装置（複合機１０３、プリンタ１０４等）へのログインが行われ、該ログインに用いた学生ＩＤに紐付いた正式在学証明書の印刷ジョブが存在する場合、画像処理装置に一覧データを送信せずに印刷ジョブを送信することで、正式在学証明書の印刷を行わせることが考えられる。
【０１２４】
以上が仮在学証明書の発行をもって正式在学証明書の印刷ジョブを生成し、認証情報である学生ＩＤと紐付けて記憶することで、複合機にログインした際の正式在学証明書印刷を容易にする第１の実施例の説明である。
【０１２５】
次に、図７〜図８を参照して、仮在学証明書の発行時に正式在学証明書の印刷ジョブの生成を行わずに、予約票を発行し、複合機にログインして予約票をスキャンすることで正式在学証明書の印刷ジョブを生成して印刷する第２の実施例について説明する。
【０１２６】
まず図７を参照し、本発明の第２の実施形態における予約票の発行処理の一例の詳細について説明する。図７は、本発明の第２の実施形態における予約票の発行処理の詳細を示すフローチャートである。
【０１２７】
ステップＳ７０１において、クライアントＰＣ１０１のＣＰＵ２０１は、学内サーバ１０２に接続してログインするための認証情報を送信する。尚、認証情報には学生を識別する学生ＩＤ等を用いることを前提とする。
【０１２８】
ステップＳ７０１で学内サーバ１０２にログインしたクライアントＰＣ１０１のＣＰＵ２０１は、リクエスト送信画面１００１（図１０）のようなリクエスト画面から、学内サーバ１０２に仮在学証明書の発行要求を送信する。尚、発行要求送信時に同時に学生ＩＤを送信する。ステップＳ７０３において、学内サーバ１０２のＣＰＵ２０１は、クライアントＰＣ１０１からの仮在学証明書発行要求を受信する。
【０１２９】
ステップＳ７０４において、学内サーバ１０２のＣＰＵ２０１は、仮在学証明書を生成する。この際、仮在学証明書生成のために必要な情報は、クライアントＰＣ１０１により送信された学生ＩＤをキーとして外部メモリ２１１等の記憶装置（認証情報管理部４０２）から取得する。
【０１３０】
学内サーバ１０２のＣＰＵ２０１は、ステップＳ７０４において、同時に予約票を生成し、クライアントＰＣ１０１に配信する。なお、発行する予約票には予約番号を生成して記載し（図１５を参照して後述）、外部メモリ２１１（データ保持部）保存する。生成した仮在学証明書と予約票を、同時にクライアントＰＣ１０１に配信する。
【０１３１】
同時に、ステップＳ７０４において、学内サーバ１０２のＣＰＵ２０１は、発行した予約番号と、ステップＳ７０１でクライアントＰＣ１０１より受信した学生ＩＤと紐付けて、外部メモリ２１１等の記憶装置に記憶する。学生ＩＤと予約番号の関連付けについては図１６を参照して後述する。この際、正式在学証明書の印刷ジョブは生成しない。
【０１３２】
ここで図１６を参照して、本発明の第２の実施形態における学生ＩＤと予約番号の関連付けデータテーブルの構成の一例について説明する。図１６は、本発明の第２の実施形態における学生ＩＤと予約番号の関連付けデータテーブルの構成の一例を示す図である。
【０１３３】
図１６に示す通り、予約票データテーブル１６０１は、学生ＩＤ１６０３と、予約番号１６０２、予約数１６０４等によって構成されている。学生ＩＤ１６０３は、仮在学証明書及び予約票の発行を行う際に用いた学生ＩＤを設定する。学生ＩＤ１６０３は、予約番号１６０２が、いずれの学生ＩＤに帰属するものかを判別するため、及び、正式在学証明書の印刷ジョブを生成する際に、いずれの学生ＩＤに基づいた正式在学証明書の印刷ジョブを生成するかを判断するさいに用いられる。
【０１３４】
予約番号１６０２は、図７のステップＳ７０４において学内サーバのＣＰＵ２０１が発行した予約票を特定するために用いる番号である予約番号が設定される。予約番号１６０２は、後述するステップＳ７０８において印刷された予約票を、図８のステップＳ８０４において複合機１０３でスキャンした際に特定するための番号として用いられる。ステップＳ７０５以降、図８の説明で後述する。
【０１３５】
予約数１６０４は、予約番号１６０２を有する予約票が生成される際に発行された仮在学証明書の数を設定する。これにより、発行された仮在学証明書の数と同じだけの正式在学証明書の印刷ジョブの生成を予約数として設定する。以上が図１６の、本発明の第２の実施形態における学生ＩＤと予約番号の関連付けデータテーブルの構成の一例についての説明である。
【０１３６】
図７の説明に戻る。クライアントＰＣ１０１のＣＰＵ２０１は、学内サーバ１０２より配信された仮在学証明遺書と予約票を取得して表示画面に表示する（ステップＳ７０５）。図１３は表示画面に表示する画面の一例である。
【０１３７】
ここで図１３を参照して、本発明の第２の実施形態におけるクライアントＰＣの、予約票を表示した画面の構成の一例について説明する。図１３は、本発明の第２の実施形態におけるクライアントＰＣの、予約票を表示した画面の構成の一例を示す図である。
【０１３８】
図１３に示すように、予約票表示画面１３０１は、予約コード１３０２等によって構成されている。予約コード１３０２は予約票における予約番号であり、予約番号は、複合機１０３でスキャンされ、学内サーバ１０２のＣＰＵ２０１によって解析され、取得されて、学生ＩＤ１６０３と紐付いて記憶される予約番号１６０２と照合するために用いられる。以上が図１３の、本発明の第２の実施形態におけるクライアントＰＣの、予約票を表示した画面の構成の一例を示す図の説明である。
【０１３９】
図７の説明に戻る。クライアントＰＣ１０１のＣＰＵ２０１は、ユーザからの印刷指示を受け付けることにより、画面に表示された仮在学証明書と予約票の印刷指示をプリンタ１０４に送信する（ステップＳ７０６）。
【０１４０】
プリンタ１０４のＣＰＵ３０１はクライアントＰＣ１０１からの印刷指示を受信し（ステップＳ７０７）、受信した仮在学証明書と予約票を印刷する（ステップＳ７０８）。以上が、図７に示す、本発明の第２の実施形態における予約票の発行処理の詳細を示すフローチャートについての説明である。
【０１４１】
次に、図８を参照し、本発明の第２の実施形態における予約票を利用した正式在学証明書の発行処理の詳細を示すフローチャートについて説明する。
【０１４２】
ステップＳ８０１において、複合機１０３のＣＰＵ３０１は、学内サーバ１０２に接続するための認証情報を送信し、ユーザのログインを受け付ける。なお、複合機１０３からユーザが学内サーバ１０２に接続するための認証情報の入力は、ＩＣカードをかざすことにより不図示のカードリーダから取得しても良いし、複合機のパネル上にソフトウェアキーボートを表示させて入力しても良い。
【０１４３】
複合機１０３のＣＰＵ３０１は、初期の操作画面である不図示のメインメニューを表示する（ステップＳ８０２）。そして、ユーザによる操作指示であって受け付けた操作指示がスキャン指示か否かを判断する（ステップＳ８０３）。
【０１４４】
複合機１０３のＣＰＵ３０１は、受け付けた操作指示が予約票のスキャンではないと判定した場合、処理をステップＳ８０５に移行し、ユーザから受け付けた操作指示に従ったスキャン以外のその他処理を実行する（その他処理については図６のステップＳ６０９の説明で前述）。
【０１４５】
受け付けた操作指示がスキャンであると判定した場合（ステップＳ８０３でＹＥＳ）、処理をステップＳ８０４に移行し、スキャンを実行し、スキャンデータを学内サーバ１０２に送信する。
【０１４６】
学内サーバ１０２のＣＰＵ２０１は、複合機１０３よりスキャンデータを受信すると、受信したスキャンデータを解析する（ステップＳ８０６）。そして、スキャンデータが予約票であるか否かを判定する（ステップＳ８０７）。具体的にはスキャンデータから予約番号が取得可能であった場合、該スキャンデータを予約票であると判定し、取得不可能であった場合スキャンデータが予約票でないと判定する。スキャンデータが予約票でないと判定した場合は処理を終了する。
【０１４７】
スキャンデータが予約票であると判定した場合（ステップＳ８０７でＹＥＳ）、学内サーバ１０２のＣＰＵ２０１は予約番号を取得し、外部メモリ２１１等の記憶装置に記憶された、ステップＳ８０１で複合機１０３より受信した学生ＩＤと同一の学生ＩＤを学生ＩＤ１６０３に有する予約番号１６０２に、取得した予約番号と同一の予約番号を有する予約票データテーブル１６０１が存在するか否かを判定する（ステップＳ８０８）。
【０１４８】
学内サーバ１０２のＣＰＵ２０１は、同一の予約番号を有する予約票データテーブル１６０１が存在しない判定した場合処理を終了し、同一の予約番号を有する予約票データテーブル１６０１が存在すると判定した場合は、処理をステップＳ８０９に移行する。
【０１４９】
学内サーバ１０２のＣＰＵ２０１は、ステップＳ８０８で同一の予約番号を有すると判定した予約票データテーブル１６０１の予約数１６０４から予約枚数データを取得して、複合機１０３に送信する（ステップＳ８０９）。
【０１５０】
複合機１０３のＣＰＵ３０１は予約枚数データを受信し（ステップＳ８１０）、受信した予約枚数に応じて、在学証明書のデータを表示画面に一覧表示する（ステップＳ８１１）。一覧表示画面は、例えば、図１１に示す印刷ジョブ一覧表示画面１２０１のような画面である。
【０１５１】
ただし、ここで表示される印刷ジョブ一覧表示画面の正式在学証明書の印刷ジョブは本実施形態においては未生成であるため、ユーザからの印刷指示を受け付けることでこれから生成される仮の印刷ジョブであり、表示されるジョブ名称は、前記仮印刷ジョブのジョブ名称であって、発行日表示部１２０４に表示される発行日は印刷ジョブの発行日ではなく予約票が発行された発行日を表示するものとする。
【０１５２】
複合機１０３のＣＰＵ３０１は、タッチパネルより操作指示を受け付け、受け付けた指示が仮印刷ジョブの選択指示か否かを判定する（ステップＳ８１２）。受け付けた指示が選択指示でないと判定した場合、処理をステップＳ８０２に移行する。
【０１５３】
複合機１０３のＣＰＵ３０１は、受け付けた指示が選択指示であると判定した場合、選択されている仮印刷ジョブの印刷指示を受け付けたか否かを判定する（ステップＳ８１３）。印刷指示を受け付けなかったと判定した場合は、処理をステップＳ８１４に移行して、削除指示を受け付けたかを判定する。
【０１５４】
削除指示を受け付けなかったと判定した場合は処理をステップＳ８１１に移行し、削除指示を受け付けたと判定した場合は、選択されている仮印刷ジョブの数だけ、予約枚数の数をマイナスするように、削除要求を学内サーバ１０２に送信する（同じくステップＳ８１４）。
【０１５５】
学内サーバ１０２のＣＰＵ２０１は、受信した削除要求に応じた数を予約票データテーブル１６０１の予約数１６０４から削除し、設定数値をマイナスする（ステップＳ８１５）。そして、予約数１６０４が０になったか否かを判定し、０になった場合は処理を終了する。０にならなかった場合は処理をステップＳ８１１に移行する（ステップＳ８２１）。
【０１５６】
一方、印刷ジョブ一覧表示画面１２０１において、選択された仮印刷ジョブの印刷指示を受け付けたと判定した場合（ステップＳ８１３でＹＥＳ）、複合機１０３のＣＰＵ３０１は、選択された枚数分の印刷ジョブの生成要求を学内サーバ１０２に送信する（ステップＳ８１６）。
【０１５７】
学内サーバ１０２のＣＰＵ２０１は、複合機１０３より受信した生成要求に応じて正式在学証明書の印刷ジョブを生成し、ジョブを生成した数だけ予約数１６０４に設定された数値をマイナスする。マイナスすることによって、数値が０になった場合は、該予約番号を予約番号１６０２に有するデータを削除する（ステップＳ８１７）。
【０１５８】
尚、本発明の実施形態においてはジョブを生成した数だけ予約数１６０４に設定された数値をマイナスする構成を取っているが、実施の構成は必ずしもこれに限るものではない。例えば、選択されたジョブの数に関わらず、印刷ジョブの生成指示を受け付けたことをもって、該予約番号を予約番号１６０２に有するデータを削除するようにしてもよい。
【０１５９】
学内サーバ１０２のＣＰＵ２０１は、ステップＳ８１７で生成した正式在学証明書の印刷ジョブを複合機１０３に送信し（ステップＳ８１８）、複合機１０３のＣＰＵ３０１は学内サーバ１０２より印刷ジョブを受信する（ステップＳ８１９）。
【０１６０】
複合機１０３のＣＰＵ３０１は受信した印刷ジョブを印刷する（ステップＳ８２０）。以上が図８の、本発明の第２の実施形態における予約票を利用した正式在学証明書の発行処理の詳細を示すフローチャートについての説明である。
【０１６１】
以上が図８の、本発明の第２の実施形態における予約票を利用した正式在学証明書の発行処理の詳細を示すフローチャートについての説明である。
【０１６２】
以上のように、上記実施体系によれば、正式在学証明書とは異なる証明書としての仮在学証明書の発行を以って、後に行う正式在学証明書の印刷を容易にすることができる。
【０１６３】
なお、上述した各種データの構成及びその内容はこれに限定されるものではなく、用途や目的に応じて、様々な構成や内容で構成されることは言うまでもない。
【０１６４】
以上、図５〜図８を用いて、仮在学証明書の発行を以って正式在学証明書のジョブの生成を行う実施形態を第１の実施形態と、仮在学証明書とともに発行される正式在学証明書の印刷に用いる予約票を利用した正式在学証明書の生成を第２の実施形態とについて詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１６５】
なお、上述した各実施形態およびその変形例を組み合わせた構成も全て本発明に含まれるものである。
【０１６６】
以下、本発明の特許請求の範囲に記載した請求項の各構成要件が、本発明の実施形態における各装置の何れの処理を指すかについて説明する。本発明の実施形態における学内サーバ１０２は、クライアントＰＣ、または複合機１０３からのログインを受け付け、ログインに用いた認証情報に基づいてデータの発行、記憶を行う学内サーバ１０２は、クライアントＰＣ１０１からの仮在学証明書の発行要求を受け付け（前記クライアント装置からの文書データの発行要求を受け付ける発行要求受付手段）、該発行要求に従って仮在学証明書を発行する（前記発行要求受付手段で受け付けた発行要求に従って、第１の文書データを生成し発行する発行手段）。
【０１６７】
第１の実施形態においては、該仮在学証明書の発行を以って正式在学証明書を発行し（前記発行手段で発行した第１の文書データを発行する場合に、前記第１の文書データに対応した第２の文書データを生成する生成手段）、正式在学証明書の印刷ジョブを生成して学生ＩＤ等の認証情報と紐付けて外部メモリ２１１等の記憶装置に記憶する（前記生成手段で生成した第２の文書データを、印刷データとして、前記クライアント装置より取得した認証情報と紐付けて記憶する記憶手段）。
【０１６８】
後に、複合機１０３からのログインを受け付けた場合に、ログイン時に取得した学生ＩＤと同一の学生ＩＤと紐付いて、学内サーバ１０２の記憶装置に記憶されている正式在学証明書の印刷ジョブを特定し（前記画像処理装置から認証情報を取得してログインを受け付けた場合に、前記記憶手段で記憶した第２の文書データであって、前記画像処理装置より取得した認証情報と一致する認証情報と紐付いて記憶された第２の文書データを特定する特定手段）、複合機１０３に送信する（前記特定手段で特定した第２の文書データを、前記画像処理装置に送信する送信手段）。
【０１６９】
また、第２の実施形態においては、仮在学証明書の発行時には正式在学証明書の生成、記憶は行わず、仮在学証明書と共に予約票を発行して複合機１０３へ送信し、予約票に記載した予約番号と同一の予約番号を学生ＩＤとを紐付けて外部メモリ等の記憶装置に記憶する（前記発行手段で第１の文書データを発行するとともに、前記第２の文書データを生成するために用いる予約票を生成する第２の生成手段。また、前記送信手段は、前記第２の生成手段で予約票を生成した場合、前記予約票を前記画像処理装置に送信することを特徴とする）。
【０１７０】
学内サーバ１０２は、予約票のスキャンデータを受信して解析し、該スキャンデータから予約番号を取得すると、該予約番号と紐付いて記憶されている学生ＩＤを特定し、各学生の正式在学証明書の生成に必要な情報を取得して、正式在学証明書の生成を行う。生成した正式在学証明書は印刷ジョブとして生成し、複合機１０３へ送信する（前記第２の生成手段で生成した前記予約票のスキャンデータを受信するスキャンデータ受信手段とを更に備え、前記生成手段は、前記第２の生成手段で前記予約票を生成した場合には、前記生成手段で前記第２の文書データの生成を行わず、前記スキャンデータ受信手段で前記予約票のスキャンデータを受信することによって、第２の文書データの生成を行うことを特徴する）。
【０１７１】
尚、第１の実施形態、第２の実施形態に関わらず、印刷ジョブを複合機１０３に送信する際には、まず、正式在学証明書の印刷ジョブの一覧データを送信することで、複合機１０３の表示画面に印刷ジョブの一覧を表示させるものとする（前記送信手段は、前記画像処理装置が表示画面を表示する画像表示部を有する場合、前記画像処理装置の表示画面に前記第２の文書データの印刷データの一覧を表示するための一覧データを送信することを特徴とする）。
【０１７２】
また、複合機１０３が表示画面を表示する表示部を持たない場合は、一覧データの送信を行うことなく印刷ジョブを送信することで、複合機１０３に印刷を実行させる（前記送信手段は、前記画像処理装置が表示画面を表示する画像表示部を有さない場合、前記画像処理装置の表示画面に前記第２の文書データの印刷データの一覧を表示するための一覧データの送信を行わず、前記第２の文書データの印刷データを送信することを特徴とする）。以上が、本発明の特許請求の範囲に記載した請求項の各構成要件が、本発明の実施形態における各装置の何れの処理を指すかについての説明である。
【符号の説明】
【０１７３】
１０１  クライアントＰＣ
１０２  学内サーバ
１０３−１  複合機
１０３−２  複合機
１０４  プリンタ
２００  情報処理装置（サーバ、ＰＣ）
２０１  ＣＰＵ
２０２  ＲＯＭ
２０３  ＲＡＭ
２０４  システムバス
２０５  入力コントローラ
２０６  ビデオコントローラ
２０７  メモリコントローラ
２０８  通信Ｉ／Ｆコントローラ
２０９  キーボード
２１０  ＣＲＴディスプレイ
２１１  外部メモリ（ＨＤ、ＦＤ）
３００  画像処理装置（複合機、プリンタ）
３０１  ＣＰＵ
３０２  ＲＡＭ
３０３  ＲＯＭ
３０４  ＨＤＤ
３０５  Ｎｅｔｗｏｒｋ  Ｉ／Ｆ
３０６  ＭＯＤＥＭ
３０７  操作部  Ｉ／Ｆ
３０８  ＩＭＡＧＥ  ＢＵＳ  Ｉ／Ｆ
３０９  外部  Ｉ／Ｆ
３１０  システムバス
３１１  ＲＩＰ
３１２  プリンタＩ／Ｆ
３１３  スキャナＩ／Ｆ
３１４  画像処理部
３１５  画像バス
３２０  コントローラユニット
３３０  操作部
３４０  カードリーダ
３５０  プリンタ
３６０  スキャナ
４０１  認証情報送信部
４０２  認証情報管理部
４０３  仮在学証明書発行要求部
４０４  仮在学証明書生成部
４０５  予約票生成部
４０６  正式在学証明書生成部
４０７  正式在学証明書印刷ジョブ生成部
４０８  データ保持部
４０９  証明書・予約票取得部
４１０  印刷ジョブ指示部
４１１  印刷ジョブ取得部
４１２  印刷部
４１３  仮在学証明書
４１４  予約票
４１５  認証情報送信部
４１６  印刷ジョブ取得部
４１７  印刷ジョブ表示部
４１８  印刷部
４１９  在学証明書
４２０  スキャン部
４２１  スキャンデータ送信部
４２２  スキャンデータ解析部
【図１】
2012137873.tif 000003
【図２】
2012137873.tif 000004
【図３】
2012137873.tif 000005
【図４】
2012137873.tif 000006
【図５】
2012137873.tif 000007
【図６】
2012137873.tif 000008
【図７】
2012137873.tif 000009
【図８】
2012137873.tif 000010
【図９】
2012137873.tif 000011
【図１０】
2012137873.tif 000012
【図１１】
2012137873.tif 000013
【図１２】
2012137873.tif 000014
【図１３】
2012137873.tif 000015
【図１４】
2012137873.tif 000016
【図１５】
2012137873.tif 000017
【図１６】
2012137873.tif 000018